(57)【要約】【課題】物体を振動させる機能を有し、簡単な構成で稼働時間を延ばすことができる眼鏡型空間表示装置を提供すること。【解決手段】眼鏡型空間表示装置１は、振動により電力を発生する振動発電部１１と、振動発電部１１が発生した電力を蓄電部１２に蓄える充電駆動部１３と、蓄電部１２の電力で振動発電部１１を振動させる振動駆動部１４と、充電駆動部１３および振動駆動部１４を制御する制御部２２とを備えている。【選択図】図２
2014179868.tif 000002
【特許請求の範囲】
【請求項１】
移動または振動可能な物体に設けられた電子装置であって、
振動により電力を発生する振動発電部と、
前記振動発電部が発生した電力を蓄電部に蓄える充電駆動部と、
前記蓄電部の電力で前記振動発電部を振動させる振動駆動部と、
前記充電駆動部および前記振動駆動部を制御する制御部とを備えていることを特徴とする電子装置。
【請求項２】
請求項１に記載の電子装置において、
前記物体の動きを検出する動き検出部を備え、
前記制御部は、前記動き検出部での検出結果に基づいて、前記充電駆動部および前記振動駆動部を制御することを特徴とする電子装置。
【請求項３】
請求項２に記載の電子装置において、
前記制御部は、前記動き検出部での検出結果に基づいて、前記物体が動いていると判断した場合、前記充電駆動部および前記振動駆動部の少なくとも一方を制御し、前記物体が動いていないと判断した場合、前記振動駆動部を制御することを特徴とする電子装置。
【請求項４】
請求項１から請求項３のいずれかに記載の電子装置において、
前記蓄電部の電力で処理を行うとともに、前記処理の内容に応じて振動駆動信号を前記制御部に出力する電子機能部を備え、
前記制御部は、前記振動駆動信号を取得すると、前記振動駆動部を駆動することを特徴とする電子装置。
【請求項５】
請求項４に記載の電子装置において、
前記電子機能部が行う処理は、表示部に画像を表示させる表示処理、音声出力部から音声を出力させる音声出力処理および撮像処理の少なくとも１つの処理であることを特徴とする電子装置。
【請求項６】
請求項４に記載の電子装置において、
前記電子機能部が行う処理は、電子メールおよび電話の少なくとも一方に関する処理であることを特徴とする電子装置。
【発明の詳細な説明】
【技術分野】
【０００１】
本発明は、電子装置に関する。
【背景技術】
【０００２】
従来、眼鏡等の移動可能な物体に電子機能を持たせた構成が知られている（例えば、特許文献１，２参照）。
特許文献１には、交互に映し出される映像と同期して左右のレンズを開閉することで、立体視を可能とする立体視用眼鏡が開示されている。立体視用眼鏡は、熱電素子を有する熱発電部と、熱発電部と電気的に接続するスイッチ制御部とを備えている。熱発電部は、体温を感知する収熱部と、熱を放出する放熱部との温度差によって起電力を発生させる。スイッチ制御部は、熱発電部が発生した起電力を検出し、装置電源部を制御する。
特許文献２には、周囲の状況変化を検出するセンサと、センサによる状況変化の検出結果を報知するバイブレータとを備えているゴーグル型表示装置が開示されている。
【先行技術文献】
【特許文献】
【０００３】
【特許文献１】特開２０１２−１９１３６４号公報
【特許文献２】特開２００３−１８４９８号公報
【発明の概要】
【発明が解決しようとする課題】
【０００４】
ところで、特許文献２に記載のようなバイブレータの稼働時間を延ばすために、特許文献１に記載のような構成を電源として適用することが考えられる。
しかしながら、このような構成では、バイブレータと熱発電部との両方が必要となるため、構成が複雑となるおそれがある。
【０００５】
本発明は、物体を振動させる機能を有し、簡単な構成で稼働時間を延ばすことができる電子装置を提供することを１つの目的とする。
【課題を解決するための手段】
【０００６】
請求項１に記載の発明は、移動または振動可能な物体に設けられた電子装置であって、振動により電力を発生する振動発電部と、前記振動発電部が発生した電力を蓄電部に蓄える充電駆動部と、前記蓄電部の電力で前記振動発電部を振動させる振動駆動部と、前記充電駆動部および前記振動駆動部を制御する制御部とを備えていることを特徴とする電子装置である。
【図面の簡単な説明】
【０００７】
【図１】本発明の一実施形態に係る眼鏡型空間表示装置の概略構成を示す斜視図。
【図２】前記一実施形態における眼鏡型空間表示装置の概略構成を示すブロック図。
【図３】前記一実施形態における眼鏡型空間表示装置の作用を示すフローチャート。
【発明を実施するための形態】
【０００８】
［実施形態］
以下、本発明の一実施形態について説明する。
｛眼鏡型空間表示装置の構成｝
図１に示すように、電子装置としての眼鏡型空間表示装置１は、移動または振動する物体としての眼鏡フレーム９に設けられている。眼鏡型空間表示装置１は、振動発電部１１と、蓄電部１２と、充電駆動部１３と、振動駆動部１４と、動き検出部１５と、操作部１６と、電子機能部１７と、記憶部１８と、表示部１９と、スピーカ２０と、マイク２１と、制御部２２とを備えている。
振動発電部１１および動き検出部１５は、眼鏡フレーム９のブリッジ９１に設けられている。蓄電部１２、充電駆動部１３、振動駆動部１４、操作部１６、記憶部１８、スピーカ２０、マイク２１、制御部２２は、眼鏡フレーム９のテンプル９２に配置されたケース９３に設けられている。電子機能部１７および表示部１９は、眼鏡フレーム９のレンズ９４に対向する位置に設けられている。
なお、上記各構成１１〜２２は、眼鏡フレーム９における上述した位置以外に配置されていてもよいし、眼鏡フレーム９とともに携帯可能な別の筐体に設けられていてもよい。
【０００９】
図２に示すように、振動発電部１１は、振動発電素子であり、充電駆動部１３および振動駆動部１４に電気的に接続されている。振動発電部１１は、振動より電力を発生する。ここで、振動発電部１１としては、圧電や電磁誘導あるいは静電気を利用したものが例示できる。
蓄電部１２は、蓄電池であり、充電駆動部１３および制御部２２に電気的に接続されている。蓄電部１２は、蓄えた電力を制御部２２へ供給する。
充電駆動部１３は、図示しない整流蓄電回路と、パワーマネジメント回路とを有し、制御部２２に電気的に接続されている。充電駆動部１３は、制御部２２の制御によって、振動発電部１１が発生した電力を蓄電部１２に蓄える。また、充電駆動部１３は、蓄電部１２の電力を振動発電部１１へ供給する。
振動駆動部１４は、制御部２２に電気的に接続されている。振動駆動部１４は、制御部２２の制御によって、蓄電部１２の電力で振動発電部１１を振動させる。
動き検出部１５は、制御部２２に電気的に接続されたモーションセンサである。なお、動き検出部１５は、動きを検出するものであれば、どのような方式でもよく、例えば圧力センサを使って錘の慣性力を測り加速度に換算する加速度センサや、ジャイロ効果で回転に対する抵抗力から角加速度や角速度を測るジャイロセンサ、あるいは磁場の変動を検出する地磁気センサ、周囲の気圧の変化を検知する気圧センサなどであってもよい。動き検出部１５は、眼鏡フレーム９の動き、すなわち眼鏡フレーム９を装着した眼鏡型空間表示装置１のユーザの動きを検出し、検出結果に関する動き信号を制御部２２へ出力する。
操作部１６は、例えばボタンなどの操作子を有し、制御部２２に電気的に接続されている。操作部１６は、操作に対応する操作信号を制御部２２へ出力する。
【００１０】
電子機能部１７は、記憶部１８と、表示部１９と、スピーカ２０と、マイク２１と、制御部２２とに電気的に接続されている。なお、表示部１９は、ホログラフィーを利用した構成を有し、レンズ９４の前方に三次元の虚像を表示させるものであってもよい。電子機能部１７は、カメラ１７１と、ＡＶ（Audio Visual）部１７２と、電子メール部１７３と、電話部１７４とを備えている。
【００１１】
カメラ１７１は、操作信号に基づく制御部２２の制御により、撮影を行い、撮影した画像のデータを記憶部１８に記憶させる。
ＡＶ部１７２は、操作信号に基づく制御部２２の制御により、記憶部１８に記憶されたコンテンツデータに基づく画像を表示部１９に表示させる表示処理を行う。また、ＡＶ部１７２は、操作信号に基づく制御部２２の制御により、コンテンツデータに基づく音声をスピーカ２０から出力させる音声出力処理を行う。
電子メール部１７３は、操作信号に基づく制御部２２の制御により、電子メールの作成や送受信を行う。また、電子メール部１７３は、電子メールを表示部１９に表示させたり、電子メールの受信があったタイミングで着信音をスピーカ２０から出力させたりする。
電話部１７４は、操作信号に基づく制御部２２の制御により、マイク２１を介して電話をかけたり、相手からの電話を受信したりする。
【００１２】
また、カメラ１７１は、例えば撮影を行うタイミングで振動駆動信号を制御部２２へ出力する。
ＡＶ部１７２は、例えば画像や音声の臨場感を出すタイミングや、バーチャルリアリティにおける接触感覚をユーザに伝えるタイミングで振動駆動信号を制御部２２へ出力する。
電子メール部１７３は、例えば電子メールの受信があったタイミングで振動駆動信号を制御部２２へ出力する。
電話部１７４は、例えば相手からの電話の着信があったタイミングで振動駆動信号を制御部２２へ出力する。
すなわち、カメラ１７１、ＡＶ部１７２、電子メール部１７３、および、電話部１７４は、処理の内容に応じて振動駆動信号を制御部２２へ出力する。
【００１３】
制御部２２は、操作部１６からの操作信号に基づいて、電子機能部１７を作動させる。
また、制御部２２は、動き検出部１５から動き信号を取得して、ユーザの動きが閾速度以上であって、振動発電部１１が電力を発生可能な程度に眼鏡フレーム９が移動または振動していると判断した場合、充電駆動部１３を駆動し、振動発電部１１が発生した電力を蓄電部１２に蓄える。すなわち、制御部２２は、充電機能をオンにする。
一方、制御部２２は、ユーザの動きが閾速度未満であって、振動発電部１１が電力を発生可能な程度に眼鏡フレーム９が移動または振動していないと判断した場合、充電駆動部１３の駆動を停止し、充電を停止する。すなわち、制御部２２は、充電機能をオフにする。
また、制御部２２は、電子機能部１７から振動駆動信号を取得すると、振動駆動部１４を駆動し、蓄電部１２の電力で振動発電部１１を振動させる。すなわち、制御部２２は、バイブレーション機能（以下、バイブ機能という）をオンにする。
【００１４】
｛眼鏡型空間表示装置の作用｝
次に、眼鏡型空間表示装置１の作用を説明する。
まず、図３に示すように、眼鏡型空間表示装置１の制御部２２は、図示しない電源がオンされると、電子機能部１７を作動させるための操作信号を操作部１６から取得したか否かを判断する（ステップＳ１）。このステップＳ１において、電子機能部１７を作動させると判断した場合、電子機能部１７を作動させる（ステップＳ２）。例えば、制御部２２は、カメラ１７１、ＡＶ部１７２、電子メール部１７３、および、電話部１７４の少なくともいずれか１つを作動させる。
【００１５】
そして、制御部２２は、ステップＳ２の処理をした後、または、ステップＳ１において電子機能部１７を作動させないと判断した場合、バイブ動作のイベントが発生したか否か、すなわち電子機能部１７から振動駆動信号を取得したか否かを判断する（ステップＳ３）。このステップＳ３において、制御部２２は、イベントが発生したと判断した場合、充電機能をオフして（ステップＳ４）、バイブ機能をオンにする（ステップＳ５）。このバイブ機能のオンによって、振動発電部１１が振動し、眼鏡フレーム９も振動する。この後、制御部２２は、ステップＳ１の処理を行う。
【００１６】
ここで、制御部２２は、ステップＳ４の処理を行う際、充電機能がオフの場合には、オフの状態を維持する。また、制御部２２は、ステップＳ５の処理を行う際、バイブ機能がオンの場合には、オンの状態を維持する。
さらに、制御部２２は、ステップＳ５の処理において、例えば、カメラ１７１が撮影を行うタイミング、ＡＶ部１７２が画像や音声の臨場感を出すタイミングや、バーチャルリアリティにおける接触感覚をユーザに伝えるタイミング、電子メール部１７３が電子メールを受信したタイミング、電話部１７４が相手からの電話の着信を受けたタイミングにおいて、バイブ機能をオンにする。
なお、制御部２２は、ステップＳ５において、振動発電部１１を振動させる際に、振動駆動信号に対応する処理の内容に応じて、振動の大きさや間隔を異ならせてもよい。
【００１７】
一方、制御部２２は、ステップＳ３において、バイブ動作のイベントが発生していないと判断した場合、バイブ機能がオンか否かを判断する（ステップＳ６）。そして、制御部２２は、ステップＳ６において、バイブ機能がオンであると判断した場合、バイブ機能をオフにする（ステップＳ７）。
また、制御部２２は、ステップＳ７の処理をした後、または、ステップＳ６においてバイブ機能がオフであると判断した場合、動き検出部１５からの動き信号に基づいて、眼鏡型空間表示装置１が移動または振動しているか否か（眼鏡型空間表示装置１のユーザが、閾速度以上で動いているか否か）を判断する（ステップＳ８）。
【００１８】
このステップＳ８において、制御部２２は、移動または振動していると判断した場合、充電機能をオンにして（ステップＳ９）、ステップＳ１の処理を行う。
一方、ステップＳ８において、制御部２２は、移動または振動してないと判断した場合、充電機能をオフにして（ステップＳ１０）、ステップＳ１の処理を行う。
ここで、制御部２２は、ステップＳ９の処理を行う際、充電機能がオンの場合には、オンの状態を維持する。また、制御部２２は、ステップＳ１０の処理を行う際、充電機能がオフの場合には、オフの状態を維持する。
そして、制御部２２は、電源がオフされるまで、上述のステップＳ１〜ステップＳ１０の処理を繰り返す。
【００１９】
｛実施形態の作用効果｝
上述したような実施形態では、以下のような作用効果を奏することができる。
眼鏡型空間表示装置１の制御部２２は、充電駆動部１３を制御することで振動発電部１１を蓄電部１２に充電する構成として機能させ、振動駆動部１４を制御することで振動発電部１１をバイブレータとして機能させる。
このように１つの振動発電部１１に２つの機能（充電機能およびバイブ機能）を持たせるため、簡単な構成で稼働時間を延ばすことができる眼鏡型空間表示装置１を提供することができる。さらには、部品点数を最小限に抑えることができ、眼鏡型空間表示装置１の軽量化を図れる。
【００２０】
制御部２２は、動き検出部１５における眼鏡フレーム９の動きの検出結果に基づいて、充電駆動部１３および振動駆動部１４を制御する。
このため、ユーザは、充電機能をオンやオフするためのボタン操作などを意識的に行う必要がなく、眼鏡型空間表示装置１の眼鏡フレーム９を装着して歩いたり走ったりすることで充電機能をオンにすることができ、停止することで充電機能をオフにすることができる。
【００２１】
制御部２２は、電子機能部１７の処理の内容に応じて、バイブ機能のオンを行う。
このため、ユーザは、電子機能部１７の処理内容を眼鏡フレーム９の振動によって認識することができる。したがって、眼鏡型空間表示装置１の利便性が向上する。
特に、ＡＶ部１７２が画像や音声の臨場感を出すタイミング、あるいは、バーチャルリアリティにおける接触感覚をユーザに伝えるタイミングにおいて、バイブ機能をオンにしているため、ユーザはコンテンツの視聴を楽しむことができる。
また、電子メール部１７３が電子メールを受信したタイミングや、電話部１７４が相手からの電話の着信を受けたタイミングにおいて、バイブ機能をオンにするため、ユーザは、電子メールや電話以外のことをしているときに、電子メールの受信や電話の着信に気付くことができる。
【００２２】
｛変形例｝
なお、本発明は前述の実施形態に限定されるものではなく、本発明の目的を達成できる範囲での変形、改良等は本発明に含まれるものである。
例えば、眼鏡型空間表示装置１に動き検出部１５を設けずに、眼鏡型空間表示装置１に充電機能をオンさせたりオフさせたりする機能選択操作部を設け、この機能選択操作部の操作に応じて充電機能を制御してもよい。同様に、眼鏡型空間表示装置１に電子機能部１７を設けずに、眼鏡型空間表示装置１にバイブ機能をオンさせたりオフさせたりする機能選択操作部を設け、この機能選択操作部の操作に応じてバイブ機能を制御してもよい。この場合、操作部１６を機能選択操作部として用いてもよい。
さらに、ステップＳ４の処理を行わなくてもよい。このような場合、ユーザの移動中に充電機能とバイブ機能との両方をオンにすることができる。
【００２３】
また、電子機能部１７を眼鏡フレーム９と異なる他の物体に設け、この電子機能部１７からの振動駆動信号に基づいて、眼鏡型空間表示装置１のバイブ機能をオンしてもよい。例えば、各部１７１〜１７４のうち少なくとも１つを有する高機能携帯端末（いわゆるスマートフォン（Smartphone））や、タブレットＰＣ（Tablet PC）といった携帯型情報通信端末からの振動駆動信号に基づいて、眼鏡型空間表示装置１のバイブ機能をオンしてもよい。
【００２４】
さらに、電子機能部１７は、カメラ１７１、ＡＶ部１７２、電子メール部１７３および電話部１７４の少なくとも１つを備えていなくてもよいし、各部１７１〜１７４以外の構成を有していてもよい。各部１７１〜１７４以外の構成としては、計時機能を有し、タイマの設定時間やアラームの設定時刻になったときにバイブ機能をオンする構成や、車両の経路案内機能（ナビゲーション機能）を有し、設定経路から外れたときにバイブ機能をオンする構成や、作業現場における作業方法を表示する機能および身体の動きを検知する機能を有し、誤った作業を行ったときにバイブ機能をオンする構成が例示できる。
【００２５】
また、本発明の電子装置が設けられる物体としては、ヘルメット、帽子、鞄、靴、衣類、時計、経路案内装置（ナビゲーション装置）など、人物や車両その他の物とともに移動または振動可能ないずれの物体であってもよい。これらの物体には、電子機能部１７が設けられていてもよいし、他の物体に設けられた電子機能部１７からの振動駆動信号に基づいてバイブ機能をオンするようにしてもよい。
【００２６】
その他、本発明の実施の際の具体的な構造および手順は、本発明の目的を達成できる範囲で他の構造などに適宜変更できる。
【符号の説明】
【００２７】
１…眼鏡型空間表示装置（電子装置）
９…眼鏡フレーム（物体）
１１…振動発電部
１２…蓄電部
１３…充電駆動部
１４…振動駆動部
１５…動き検出部
１７…電子機能部
【図１】
2014179868.tif 000003
【図２】
2014179868.tif 000004
【図３】
2014179868.tif 000005